(57)【要約】【課題】貸出レートの異なる計数機に対して遊技媒体を誤投入した場合の人的労力を効率良く軽減するとともに、効率的な訂正処理を行うことを課題とする。【解決手段】計数機で計数された遊技媒体数を記録媒体に関連付けて排出する記録媒体処理装置であるレシート・会員カード端末機９０ａは、遊技媒体の基本貸出レート９８ａを記憶部９８に記憶し、指定貸出レート受付部９７ｂにより指定貸出レートを受け付けない場合には、遊技媒体数及び基本貸出レートを関連付けた記録媒体を発行制御し、指定貸出レート受付部９７ｂにより指定貸出レートを受け付けた場合には、遊技媒体数及び指定貸出レートを関連付けた記録媒体を発行制御する。【選択図】図２
2012249652.tif 000002
【特許請求の範囲】
【請求項１】
遊技客によって獲得された遊技媒体を計数し、計数した計数結果を所定の記録媒体に関連付けて排出する遊技媒体計数システムにおいて、
計数する遊技媒体の基本交換レートを記憶する基本交換レート記憶手段と、
前記基本交換レートと異なる所定の指定レートを受け付ける受付手段と、
前記受付手段により指定レートを受け付けた場合には、前記計数結果を当該指定レートに関連付けて処理する計数結果処理手段と
を備えることを特徴とする遊技媒体計数システム。
【請求項２】
前記受付手段は、
店員による所定の操作を受けることを条件に、前記指定レートを受け付け可能となることを特徴とする請求項１に記載の遊技媒体計数システム。
【請求項３】
前記計数結果処理手段は、
前記計数結果及び前記指定レートを特定可能な情報が記録された計数記録媒体を排出することを特徴とする請求項１又は２に記載の遊技媒体計数システム。
【請求項４】
予め会員登録された遊技客を特定する会員用記録媒体を受け付ける会員用記録媒体受付手段を備え、
前記計数結果処理手段は、
前記計数結果を、前記遊技客の前記指定レートの貯遊技媒体口座に加算する
ことを特徴とする請求項１、２又は３に記載の遊技媒体計数システム。
【請求項５】
遊技媒体の計数に伴い、所定の管理装置に対して信号を自動で出力する信号出力手段を備え、
前記計数結果が、前記受付手段によって受け付けられた指定レートに関連付けて処理された場合に、前記指定レートを含み、前記信号手段から出力された計数信号に基づいて前記管理装置で管理される情報を訂正する旨の訂正情報を出力する訂正情報出力手段
を備えることを特徴とする請求項１〜４のいずれか一つに記載の遊技媒体計数システム。
【請求項６】
遊技客によって獲得された遊技媒体数を特定可能な記録媒体を受け付けて、景品への交換処理を行う景品管理装置において、
前記記録媒体を受け付けた場合に、該記録媒体に関連付けられた遊技媒体数及び第１のレートを取得する取得手段と、
前記取得手段により取得された第１のレートとは異なる第２のレートを受け付ける受付手段と、
前記受付手段により第２のレートを受け付けた場合には、前記遊技媒体数を前記第２のレートに基づいて景品交換処理する景品交換処理手段と
を備えることを特徴とする景品管理装置。
【発明の詳細な説明】
【技術分野】
【０００１】
この発明は、遊技客によって獲得された遊技媒体を計数し、計数した計数結果を所定の記録媒体に関連付けて排出する遊技媒体計数システム及び遊技客によって獲得された遊技媒体数を特定可能な記録媒体を受け付けて、景品への交換処理を行う景品管理装置に関し、特に貸出レートの異なる計数機に対して遊技媒体を誤投入した場合の人的労力を効率良く軽減するとともに、効率的な訂正処理を実施することができる遊技媒体計数システム及び景品管理装置に関する。
【背景技術】
【０００２】
従来、パチンコ店等の遊技店では、一律の貸出レート（例えば１玉４円）で遊技客にパチンコ玉を貸し出すのが一般的であったが、最近になって、複数レートの貸出レートを採用する遊技店が増加している。例えば、遊技店内を４円コーナーの区画と１円コーナーの区画に区分し、４円コーナーでは１玉４円でパチンコ玉を貸し出し、１円コーナーでは１玉１円でパチンコ玉を貸し出すことになる。
【０００３】
そして、４円コーナーで遊技客が獲得したパチンコ玉は、該４円コーナーに配設された計数機（以下、「４円用計数機」と言う）で計数され、この４円用計数機から計数レシートが発行される。その後、遊技客がこの計数レシートを景品交換カウンタに持ち込むと、景品管理装置により計数レシートに関連付けられた玉数が景品交換処理されることになる。例えば、等価交換である場合には、計数レシートに関連付けられた玉数が１玉４円で一般景品又は特殊景品に景品交換処理される。
【０００４】
同様に、１円コーナーで遊技客が獲得したパチンコ玉は、該１円コーナーに配設された計数機（以下、「１円用計数機」と言う）で計数され、この１円用計数機から計数レシートが発行され、景品管理装置によって１玉１円で景品交換処理される。なお、計数機により計数されたパチンコ玉数を会員カードや携帯電話端末に関連付ける場合にも、上記計数レシートの場合と同様の処理が行われる。
【０００５】
このように、従来は、あたかも貸出レートが４円の遊技店と貸出レートが１円の遊技店が同一の遊技店内に存在するかのように別々の区画とし、計数機及び景品管理装置を貸出レート毎に設けることにより、４円コーナーで遊技客が獲得したパチンコ玉を１玉１円で景品交換するようなミスを防止していた。例えば、特許文献１は、遊技店の２Ｆに４円コーナーを設け、遊技店の１Ｆには１円コーナーが設ける等のように、４円コーナーと１円コーナーとを分けて設ける構成を開示している。
【０００６】
ここで、景品交換カウンタ内に貸出レート毎に景品管理装置を設けると、設置スペース面及び業務処理効率面から見て妥当ではないため、１台の景品管理装置で複数の貸出レートの景品交換を取り扱う従来技術が知られている。例えば、特許文献２には、複数の貸出レートの中で基準となる基準貸出レートとそれ以外の他の貸出レートとの比率に基づいて交換遊技媒体数を求め、各貸出レートの遊技媒体を景品交換処理する技術が開示されている。
【先行技術文献】
【特許文献】
【０００７】
【特許文献１】特許第４５３１０８２号
【特許文献２】特開２００９−０００３８５号公報
【発明の概要】
【発明が解決しようとする課題】
【０００８】
しかしながら、上記特許文献１を用いたとしても、レートに跨がるパチンコ玉の計数間違いが生じた場合には対応できないという問題がある。例えば、１円コーナーで獲得されたパチンコ玉数を誤って４円用計数機で計数すると、４円コーナーで獲得されたかのごとく計数レシートに印字されるとともに、４円コーナーで獲得されたかのごとく管理装置に通知されるため、遊技店が不利益を被る。一方、４円コーナーで獲得されたパチンコ玉数を誤って１円用計数機で計数すると、遊技客が不利益を被る結果となる。
【０００９】
かかる事態を避けるためには、計数機から計数レシートが発行されたならば、遊技店の店員がこの計数レシートに印字されたレート情報に誤りがないかを目視確認して、計数レシートに捺印する等の人手を介した対応を行う必要が生ずる。そして、万が一計数レシートに印字されたレート情報に誤りがあれば、レート情報を手書きで訂正して捺印する等の処理が行われる。
【００１０】
かかる店員による計数レシートの手書き訂正が行われた場合には、景品管理装置のバーコードリーダを用いて計数レシートのバーコードを読み取るという通常の処理を行えなくなるため、店員が手作業で計数レシートに印字されたパチンコ玉数を景品管理装置に手入力して景品交換をしなければならなくなり、人的労力及びミス発生の防止の観点から見て望ましくない。その上、手書きによる訂正は、不正行為のもとになりやすい。
【００１１】
また、計数機がパチンコ玉を計数する場合には、所定のパチンコ玉数を計数する都度ホールコンピュータに対してパルスを出力するのが通常である。例えば、４円用計数機でパチンコ玉を計数する場合には、例えばパチンコ玉を１０個計数するごとに１パルスがホールコンピュータに出力される。このため、店員による計数レシートの手書き訂正が行われた場合には、かかるホールコンピュータが管理するデータについても店員が訂正しなければならず、その作業負担が大きいという問題がある。
【００１２】
このため、遊技店内に複数の貸出レートの区画を設ける場合に、貸出レートの異なる計数機に対してパチンコ玉を誤投入した場合の人的労力をいかにして軽減するか、この場合の訂正処理をいかにして実施するかが重要な課題となっている。なお、かかる課題は、パチンコ玉の計数のみならず、メダル等の計数の場合にも同様に生ずる課題である。
【００１３】
本発明は、上述した従来技術の課題を解消するためになされたものであって、貸出レートの異なる計数機に対してパチンコ玉を誤投入した場合の人的労力を効率良く軽減するとともに、効率的な訂正処理を実施することができる遊技媒体計数システム及び景品管理装置を提供することを目的とする。
【課題を解決するための手段】
【００１４】
上述した課題を解決し、目的を達成するため、本発明は、遊技客によって獲得された遊技媒体を計数し、計数した計数結果を所定の記録媒体に関連付けて排出する遊技媒体計数システムにおいて、計数する遊技媒体の基本交換レートを記憶する基本交換レート記憶手段と、前記基本交換レートと異なる所定の指定レートを受け付ける受付手段と、前記受付手段により指定レートを受け付けた場合には、前記計数結果を当該指定レートに関連付けて処理する計数結果処理手段とを備えることを特徴とする。
【００１５】
また、本発明は、上記発明において、前記受付手段は、店員による所定の操作を受けることを条件に、前記指定レートを受け付け可能となることを特徴とする。
【００１６】
また、本発明は、上記発明において、前記計数結果処理手段は、前記計数結果及び前記指定レートを特定可能な情報が記録された計数記録媒体を排出することを特徴とする。
【００１７】
また、本発明は、上記発明において、予め会員登録された遊技客を特定する会員用記録媒体を受け付ける会員用記録媒体受付手段を備え、前記計数結果処理手段は、前記計数結果を、前記遊技客の前記指定レートの貯遊技媒体口座に加算することを特徴とする。
【００１８】
また、本発明は、上記発明において、遊技媒体の計数に伴い、所定の管理装置に対して信号を自動で出力する信号出力手段を備え、前記計数結果が、前記受付手段によって受け付けられた指定レートに関連付けて処理された場合に、前記指定レートを含み、前記信号手段から出力された計数信号に基づいて前記管理装置で管理される情報を訂正する旨の訂正情報を出力する訂正情報出力手段を備えることを特徴とする。
【００１９】
また、本発明は、遊技客によって獲得された遊技媒体数を特定可能な記録媒体を受け付けて、景品への交換処理を行う景品管理装置において、前記記録媒体を受け付けた場合に、該記録媒体に関連付けられた遊技媒体数及び第１のレートを取得する取得手段と、前記取得手段により取得された第１のレートとは異なる第２のレートを受け付ける受付手段と、前記受付手段により第２のレートを受け付けた場合には、前記遊技媒体数を前記第２のレートに基づいて景品交換処理する景品交換処理手段とを備えることを特徴とする。
【発明の効果】
【００２０】
本発明によれば、遊技客によって獲得された遊技媒体を計数し、計数した計数結果を所定の記録媒体に関連付けて排出する遊技媒体計数システムにおいて、計数する遊技媒体の基本交換レートを記憶し、基本交換レートと異なる所定の指定レートを受け付けた場合には、計数結果を当該指定レートに関連付けて処理するよう構成したので、貸出レートの異なる計数機に対して遊技媒体を誤投入した場合の人的労力を効率良く軽減するとともに、効率的な訂正処理を実施することができる。
【００２１】
また、本発明によれば、遊技客によって獲得された遊技媒体数を特定可能な記録媒体を受け付けて、景品への交換処理を行う景品管理装置において、前記記録媒体を受け付けた場合に、該記録媒体に関連付けられた遊技媒体数及び第１のレートを取得し、第１のレートとは異なる第２のレートを受け付けた場合には、遊技媒体数を第２のレートに基づいて景品交換処理するよう構成したので、貸出レートの異なる計数機に対して遊技媒体を誤投入した場合の人的労力を効率良く軽減するとともに、効率的な訂正処理を実施することができる。
【図面の簡単な説明】
【００２２】
【図１】図１は、実施例１に係る遊技場システムの構成図である。
【図２】図２は、実施例１に係る貸出レート訂正の概要を説明するための説明図である。
【図３】図３は、図１に示した４円用計数機及びレシート・会員カード端末機の外観構成を示す図である。
【図４】図４は、図３に示したレシート・会員カード端末機の内部構成を示す図である。
【図５】図５は、図１に示した景品管理装置の外観構成を示す図である。
【図６】図６は、図１に示したホールコンピュータの内部構成を示す図である。
【図７】図７は、ホールコンピュータが保持するデータの一例を示す図である。
【図８】図８は、レシート・会員カード端末機の表示部に表示する画面を説明するための説明図である。
【図９】図９は、レシート・会員カード端末機の処理手順を示すフローチャートである。
【図１０】図１０は、レシート・会員カード端末機が発行した計数レシートの一例を示す図である。
【図１１】図１１は、ホールコンピュータの処理手順を示すフローチャートである。
【図１２】図１２は、レシート・会員カード端末機の機能を内在する一体型の計数機の外観構成を示す図である。
【図１３】図１３は、図１２に示した一体型の計数機の内部構成を示す図である。
【図１４】図１４は、会員カードや一般カードに獲得玉数を関連付ける場合の貸出レート訂正を説明するための説明図である。
【図１５】図１５は、実施例２に係る貸出レート訂正の概要を説明するための説明図である。
【図１６】図１６は、実施例２に係る景品管理装置の構成図である。
【図１７】図１７は、景品管理装置の処理手順を示すフローチャートである。
【発明を実施するための形態】
【００２３】
以下に、添付図面を参照して、本発明に係る遊技媒体計数システム及び景品管理装置の好適な実施例を詳細に説明する。なお、本実施例では、説明の便宜上、計数機で計数したパチンコ玉数をレシートにバーコード印刷するとともに、このレシートに印刷されたバーコードを景品管理装置で読み取って景品交換する場合を中心に説明する。なお、レシートに印刷されたバーコードのパチンコ玉数を正とするのではなく、計数機で計数されたパチンコ玉数を管理装置で管理し、景品管理装置が管理装置からパチンコ玉数を正とする場合に適用することもできる。また、計数機で計数したパチンコ玉数を会員カードや一般カードに関連付ける場合に適用することもできる。
【実施例１】
【００２４】
図１は、実施例１に係る遊技場システムの構成図である。同図に示すように、遊技店内には、１玉４円でパチンコ玉を貸し出す４円コーナーと、１玉１円でパチンコ玉を貸し出す１円コーナーとが設けられている。そして、この４円コーナーには、島コントローラ３０ａと、複数の遊技機２０ａと、各遊技機２０ａに併設された複数の台間カード処理機１０ａと、４円用計数機８０ａと、レシート・会員カード端末機９０ａとが配設されている。各台間カード処理機１０ａは、島コントローラ３０ａに接続されて遊技島を形成する。
【００２５】
同様に、１円コーナーには、島コントローラ３０ｂと、複数の遊技機２０ｂと、各遊技機２０ｂに併設された複数の台間カード処理機１０ｂと、１円用計数機８０ｂと、レシート・会員カード端末機９０ｂとが配設されている。各台間カード処理機１０ｂは、島コントローラ３０ｂに接続されて遊技島を形成する。
【００２６】
また、ホールコンピュータ４０や管理装置５０が事務所に設置される。管理装置５０は、会員情報やカード情報を管理する装置である。また、景品交換カウンタには、リーダライタ７０及びバーコードリーダ６７が接続された景品管理装置６０が配設されている。そして、景品管理装置６０、ホールコンピュータ４０、管理装置５０、島コントローラ３０ａ及び３０ｂ（以下、「島コントローラ３０」と総称する）及びレシート・会員カード端末機９０ａ及び９０ｂ（以下、「レシート・会員カード端末機９０」と総称する）は、通信回線を通じて接続されている。
【００２７】
遊技機２０ａ及び２０ｂ（以下、「遊技機２０」と総称する）は、パチンコ玉を遊技領域に打ち込んで遊技客がパチンコ遊技を行うパチンコ機等の装置である。台間カード処理機１０ａ及び１０ｂ（以下、「台間カード処理機１０」と総称する）は、遊技機２０に対する玉貸し処理を行う装置である。なお、遊技機２０は、いわゆる「イン」と「アウト」の情報をホールコンピュータ４０に対して通知し、台間カード処理機１０は、「貸出玉数」の情報をホールコンピュータ４０に通知する。ホールコンピュータ４０で厳正な売上げ管理を行うためである。
【００２８】
景品管理装置６０は、計数玉、貯玉及び持玉の景品交換処理を行う装置である。この景品管理装置６０には、リーダライタ７０及びバーコードリーダ６７が接続されている。リーダライタ７０は、カードの挿入を受け付けた際に、該カードのカードＩＤを読み取る装置である。バーコードリーダ６７は、レシート・会員カード端末機９０が発行した計数レシートの読み取り等を行う。この景品管理装置６０の詳細な説明については後述する。
【００２９】
４円用計数機８０ａは、１玉４円の貸出レートで貸し出されたパチンコ玉を用いて遊技客が獲得したパチンコ玉数を計数し、計数結果である獲得玉数をレシート・会員カード端末機９０ａに通知するとともに、所定数の玉数を計数する度にパルス信号をホールコンピュータ４０に対して送信する。レシート・会員カード端末機９０ａは、４円用計数機８０ａから通知された獲得玉数及び装置内部に記憶した基本貸出レート（１玉４円）等の計数情報をバーコード印刷するとともに、店員及び遊技客が視認できるように文字印刷した計数レシートを発行する。
【００３０】
１円用計数機８０ｂは、上記４円用計数機８０ａと同様に、１玉１円の貸出レートで貸し出されたパチンコ玉を用いて遊技客が獲得したパチンコ玉数を計数し、計数結果である獲得玉数をレシート・会員カード端末機９０ｂに通知するとともに、所定数の玉数を計数する度にパルス信号をホールコンピュータ４０に対して送信する。レシート・会員カード端末機９０ｂは、１円用計数機８０ｂから通知された獲得玉数及び装置内部に記憶した基本貸出レート（１玉１円）等の計数情報をバーコード印刷するとともに、店員及び遊技客が視認できるように文字印刷した計数レシートを発行する。
【００３１】
ここで、遊技店では、上記４円コーナーと１円コーナーのフロア（階数）を分けたり、壁を設けたりして明確に区分けするのが通常であるが、遊技店内のスペース等の関係で４円コーナーと１円コーナーが明確に分けられない場合がある。このような場合に、４円コーナーで遊技客が獲得した獲得玉数を１円用計数機８０ｂに誤って投入してしまう可能性がある。
【００３２】
かかる事態に対応するために、本実施例１に係るレシート・会員カード端末機９０では、装置内部に記憶した基本貸出レートを正しい指定貸出レートに訂正する機能を付与している。具体的には、４円用計数機８０ａ及び１円用計数機８０ｂ（以下、「計数機８０」と総称する）は、指定貸出レートを受け付けたならば、基本貸出レートではなく指定貸出レートをレシートにバーコード印刷するとともに、装置内部に記憶した該レシート・会員カード端末機９０が併設される計数機８０の号機番号と指定貸出レートの情報を含む訂正情報をホールコンピュータ４０に対して通知する。かかる訂正処理について図２を用いて説明する。
【００３３】
図２は、実施例１に係る基本貸出レートの訂正を説明するための説明図である。同図では、遊技客が１円コーナーに配設された遊技機２０ｂを用いて獲得したパチンコ玉Ｂ１を４円コーナーに配設された４円用計数機８０ａに誤投入した場合を示している。
【００３４】
４円用計数機８０ａは、パチンコ玉Ｂ１を計数したならば、レシート・会員カード端末機９０ａに対して計数結果を通知するとともに、所定のパチンコ玉数（例えば、１０玉）を計数する度にホールコンピュータ４０にパルス信号を送信する。ホールコンピュータ４０は、４円用計数機８０ａからパルス信号を受信する度に、内部メモリに１パルス分の玉数（１０玉）を加算し、連続するパルス信号の受信を終えたならば、内部メモリに記憶した玉数と基本貸出レート（１玉４円）により集計データ４５ｂを更新する。ここでは、パチンコ玉数１０００玉分に相当する１００パルスがホールコンピュータ４０に送信された状況を示しているため、ホールコンピュータ４０の集計データ４５ｂには、最初のパルス信号を受信した日時（計数日時）、玉数１０００玉、４円用計数機８０ａの号機番号及び該４円用計数機８０ａの基本貸出レートである「１玉４円」が集計データ４５ｂに追加登録されることになる。
【００３５】
レシート・会員カード端末機９０ａは、基本貸出レートとして１玉４円を記憶しており、発行制御部９７ａは、原則として玉数及び基本貸出レートをバーコード印刷した計数レシートを発行する。ただし、指定貸出レート受付部９７ｂが基本貸出レートと異なる指定貸出レート（例えば、１玉１円）を受け付けた場合には、玉数及び指定貸出レートをバーコード印刷した計数レシートＲ１を発行する。また、通知部９７ｃは、指定貸出レート受付部９７ｂが基本貸出レートと異なる指定貸出レートを受け付けた場合には、玉数、指定貸出レート及び４円用計数機８０ａの号機番号を訂正データ４５ｃとしてホールコンピュータ４０に通知する。ホールコンピュータ４０は、かかる訂正データ４５ｃを受信したならば、この訂正データ４５ｃを用いて集計データ４５ｂを訂正処理する。
【００３６】
このように、レシート・会員カード端末機９０ａが基本貸出レートを指定貸出レートに訂正した計数レシートＲ１を発行することにより、景品管理装置６０は、この計数レシートＲ１からバーコードリーダ６７で読み取った指定貸出レートに対応する交換レートを算定して、該交換レートで玉数を景品交換処理することができる。なお、かかる交換レートは、等価交換の場合には貸出レートと一致し、遊技店が交換手数料を徴収する場合には貸出レートから交換手数料率を減じた値となる。また、ホールコンピュータ４０は、レシート・会員カード端末機９０ａから受信した訂正データ４５ｃを用いて集計データ４５ｂを訂正することができる。
【００３７】
次に、図１に示した４円用計数機８０ａ及びレシート・会員カード端末機９０ａの外観構成について説明する。なお、１円用計数機８０ｂ及びレシート・会員カード端末機９０ｂの外観構成についても、４円用計数機８０ａ及びレシート・会員カード端末機９０ａと同様のものとなるため、ここではその説明を省略する。図３は、図１に示した４円用計数機８０ａ及びレシート・会員カード端末機９０ａの外観構成を示す図である。同図（ａ）には、４円用計数機８０ａの斜視図を示し、同図（ｂ）にはレシート・会員カード端末機９０ａの斜視図を示している。なお、この４円用計数機８０ａ及びレシート・会員カード端末機９０ａは、図示しないケーブルで接続されている。
【００３８】
図３（ａ）に示すように、４円用計数機８０ａは、ホッパユニット８１と、表示部８２と、玉返却部８３とを有する。ホッパユニット８１は、底部に開口部を有する受け皿と、この受け皿の開口部から流れ落ちるパチンコ玉を装置外部のバックヤードに搬送する搬送通路と、該搬送通路上に設けられた玉計数部とを有する。このホッパユニット８１の受け皿に投入されたパチンコ玉は、開口部を経由して搬送通路上を搬送される過程で玉計数部により計数される。この計数結果は、表示部８２に表示されるとともに、レシート・会員カード端末機９０ａに通知される。また、計数部で所定の玉数（例えば、１０玉）が計数される度に、図示しないパルス発生部から発生されたパルス信号がホールコンピュータ４０に送信される。玉返却部８３は、端数返却操作を受け付けた場合に端玉を返却する処理部である。
【００３９】
また、図３（ｂ）に示すように、レシート・会員カード端末機９０ａは、表示操作部９１と、特殊操作ボタン９２と、レシート発行部９３と、カードリーダライタ９４と、携帯端末リーダライタ９５とを有する。特殊操作ボタン９２は、指定貸出レートの指定を行うことのできる「レート選択」のタブを表示操作部９１の表示画面上に表示させる操作を受け付けるための操作手段である。この特殊操作ボタン９２には、店員用の鍵で施錠したり、カバーを施してもよい。また、ここでは説明の便宜上、特殊操作ボタン９２をレシート・会員カード端末機９０ａの側面上部に設けることとしたが、レシート・会員カード端末機９０ａの背面等に設けることもできる。
【００４０】
表示操作部９１は、タッチパネル式のカラー液晶ディスプレイ等からなり、店員は、この表示操作部９１を用いて指定貸出レートの指定を行う。例えば、この表示操作部９１の表示画面上の「レート選択」のタブを押下操作すると、遊技店が採用する複数の貸出レートの一覧が表示画面に表示され、該当する貸出レートを押下操作することで、指定貸出レートを設定することができる。
【００４１】
レシート発行部９３は、４円用計数機８０ａにより計数された玉数及び貸出レート等がバーコード印刷された計数レシートを発行する感熱式プリンタ等の印刷部である。この計数レシートには、原則として玉数とともに基本貸出レートがバーコード印刷されるが、指定貸出レートが指定された場合には、玉数とともに指定貸出レートがバーコード印刷される。
【００４２】
カードリーダライタ９４は、会員カード及び一般カードに対するデータの読み書きを行うリーダライタであり、計数レシートの代わりに会員カード又は一般カードを用いる場合に利用される。携帯端末リーダライタ９５は、非接触ＩＣカード又はＩＣチップ内蔵の携帯電話機との間で非接触によるデータの授受を行うリーダライタであり、計数レシートの代わりに携帯端末を用いる場合に利用される。
【００４３】
次に、図３（ｂ）に示したレシート・会員カード端末機９０ａの内部構成について説明する。なお、レシート・会員カード端末機９０ｂの内部構成についてはレシート・会員カード端末機９０ａと同様であるので説明を省略する。図４は、図３（ｂ）に示したレシート・会員カード端末機９０ａの内部構成を示す図である。同図に示すように、このレシート・会員カード端末機９０ａは、４円用計数機８０ａに接続されている。
【００４４】
レシート・会員カード端末機９０ａは、すでに説明した表示操作部９１、特殊操作ボタン９２、レシート発行部９３、カードリーダライタ９４及び携帯端末リーダライタ９５に加えて、通信部９６、制御部９７及び記憶部９８を有する。通信部９６は、ホールコンピュータ４０及び景品管理装置６０と通信するためのインタフェースである。
【００４５】
記憶部９８は、フラッシュメモリ又はハードディスク装置等からなる記憶デバイスであり、基本貸出レート９８ａ及び計数機号機番号９８ｂを記憶する。基本貸出レート９８ａは、このレシート・会員カード端末機９０ａが取扱対象とするパチンコ玉の基本貸出レートを意味し、４円パチンコ区間に配設されているレシート・会員カード端末機９０ａの基本貸出レート９８ａは「１玉４円」となる。計数機号機番号９８ｂは、遊技店に配設された複数の計数機を一意に識別するための識別情報であり、例えば「０１」等が付与される。
【００４６】
制御部９７は、レシート・会員カード端末機９０ａを全体制御する制御部であり、発行制御部９７ａ、指定貸出レート受付部９７ｂ及び通知部９７ｃを有する。指定貸出レート受付部９７ｂは、表示操作部９１により操作入力された指定貸出レートを受け付ける処理部である。
【００４７】
発行制御部９７ａは、指定貸出レート受付部９７ｂにより指定貸出レートを受け付けない場合には、４円用計数機８０ａにより計数された玉数及び記憶部９８に記憶した基本貸出レート９８ａ等の計数情報をバーコード印刷するとともに、視認可能に印字した計数レシートを発行するようレシート発行部９３に指示する。また、指定貸出レート受付部９７ｂにより指定貸出レートを受け付けた場合には、４円用計数機８０ａにより計数された玉数及び指定貸出レート等の計数情報をバーコード印刷するとともに、視認可能に印字した計数レシートを発行するようレシート発行部９３に指示する。
【００４８】
通知部９７ｃは、指定貸出レート受付部９７ｂが基本貸出レートと異なる指定貸出レートを受け付けた場合に、４円用計数機８０ａの計数機号機番号９８ｂ、指定貸出レート及び計数日時等を含む訂正データ４５ｃをホールコンピュータ４０に通知する処理部である。すでにパルス信号としてホールコンピュータ４０に送信されたデータを修正するためである。
【００４９】
ホールコンピュータ４０は、４円用計数機８０ａから受信したパルス信号に基づいて、４円用計数機８０ａの計数機号機番号９８ｂ及び該４円用計数機８０ａの基本貸出レートを対応付けて集計データ４５ｂとして管理するが、レシート・会員カード端末機９０ａから訂正データ４５ｃを受信したならば、この訂正データ内の計数機号機番号９８ｂ及び計数日時等により訂正対象となるデータを特定し、その基本貸出レートを指定貸出レートに訂正する。これにより、パルス信号として受信したデータを適正なデータに置き換えることができ、正確な売上げ管理等に資することが可能となる。
【００５０】
なお、ここでは説明の便宜上、レシート発行部９３から発行した計数レシートのみに基づいて景品交換処理する場合を示したが、計数レシートにバーコード印刷した計数情報を計数レシートのレシート番号とともに景品管理装置６０に送信しデータベース管理しても良い。この場合、景品管理装置６０は、計数レシートのバーコードを読み取ると、読み取った内容とデータベースに記憶された内容を照合する。このように計数レシートを照合することは、計数レシートの偽造の防止対策として有効である。
【００５１】
また、計数レシートの代わりに会員カード又は一般カードを用いる場合には、計数レシートにバーコード印刷される情報が会員カード又は一般カードに書き込まれる。さらに、計数レシートの代わりに非接触ＩＣカード又はＩＣチップ内蔵の携帯端末を用いる場合には、計数レシートにバーコード印刷される情報が携帯電話に受け渡される。
【００５２】
次に、図１に示した景品管理装置６０の外観構成を説明する。図５は、図１に示した景品管理装置６０の外観構成を示す図である。同図には正面上方（景品交換カウンタの店員側）から見た景品管理装置６０の斜視図を示している。
【００５３】
図５に示すように、景品管理装置６０の前面には、店側表示部６１、操作部６２、レシート発行部６３及びバーコードリーダ６７が設けられている。ここでは、説明の便宜上図示省略したが、電源スイッチやメモリカード差込口なども設けられる。なお、本実施例１で用いる景品管理装置６０の内部構成については、従来技術のものと同様であるのでその詳細な説明は省略する。
【００５４】
店員は、レシート・会員カード端末機９０で発行された計数レシートを遊技客から受け取ったならば、バーコードリーダ６７で計数レシートに印字されたバーコードを読み取り、景品交換対象となる玉数並びに景品交換を行う基本貸出レート又は指定貸出レートを特定し、この貸出レートに対応する交換レートを算定して、該交換レートで玉数を景品交換処理することになる。
【００５５】
店側表示部６１は、操作者である遊技店の店員用の表示部（兼、操作部）であり、タッチパネルカラー液晶ディスプレイ等からなる。この店側表示部６１には、景品交換処理する際に用いられる上記交換レート及び交換対象となる玉数等が表示される。
【００５６】
操作部６２は、テンキー、専用キー及びモードキー等の複数のキーからなり、景品交換操作入力などを行う際に使用される。レシート発行部６３は、登録リスト及び集計リスト等の各種レシートを発行処理する発行部であり、感熱式プリンタ等からなる。バーコードリーダ６７は、計数レシートに印字されたバーコードを読み取って、情報内容を特定する。
【００５７】
次に、ホールコンピュータ４０の内部構成について説明する。図６は、図１に示したホールコンピュータ４０の内部構成を示す図である。同図に示すように、このホールコンピュータ４０は、表示部４１、操作部４２、制御部４３、通信部４４及び記憶部４５を有する。
【００５８】
表示部４１は、例えば液晶ディスプレイ等の表示デバイスである。また、操作部４２は、キーボードやマウス等の入力デバイスである。通信部４４は、景品管理装置６０、島コントローラ３０及びレシート・会員カード端末機９０等と通信を行うための通信インタフェースである。
【００５９】
記憶部４５は、フラッシュメモリ又はハードディスク装置等からなる記憶デバイスであり、レート設定データ４５ａ、集計データ４５ｂ及び訂正データ４５ｃを記憶する。レート設定データ４５ａは、台間カード処理機１０、４円用計数機８０ａ及び１円用計数機８０ｂの各々について設定された基本貸出レートを示すデータである。
【００６０】
集計データ４５ｂは、遊技店全体の売上げ集計用のデータであり、４円用計数機８０ａ及び１円用計数機８０ｂに投入された玉数が貸出レート等に対応付けられている。具体的には、図７（ａ）に示すように、集計データ４５ｂには、計数日時、玉数、号機番号、発行連番及びレート情報が含まれる。計数日時は、計数を行った日時であり、玉数は計数した玉の数である。号機番号は計数を行った計数機を一意に識別する識別情報であり、発行連番は該号機番号を有する計数機が発行したレシートを一意に識別する識別情報である。レート情報は、計数した玉の貸出レートを示す情報であり、計数機からパルスを受信した場合には、どの計数機からのパルスであるかに基づいて、レート設定データ４５ａを参照して決定される。
【００６１】
図７（ａ）の例では、２０１１年９月１９日１０時１５分に号機番号２番の計数機が発行連番０００１として５６０玉を計数しており、この貸出レートは１玉１円である。同様に、２０１１年９月１９日１０時４２分に号機番号１番の計数機が発行連番０００１として８５０玉を計数しており、この貸出レートは１玉４円である。また、２０１１年９月１９日２１時２６分に号機番号１番の計数機が発行連番００１０として１０００玉を計数しており、この貸出レートは１玉４円である。
【００６２】
なお、ここではその詳細な説明を省略するが、この集計データ４５ｂには、遊技機２０のアウト信号及びセーフ信号に伴う玉数、台間カード処理機１０から貸し出したパチンコ玉数、景品管理装置６０で景品交換処理された玉数なども含まれる。
【００６３】
訂正データ４５ｃは、レシート・会員カード端末機９０により生成された集計データ４５ｂを訂正する際に用いられるデータである。この訂正データ４５ｃには、計数日時、玉数、号機番号、発行連番、訂正前の貸出レートである基本貸出レート、訂正後の貸出レートである指定貸出レート及び貸出レートの訂正操作を行った店員の店員識別番号が含まれる。具体的には、図７（ｂ）の例では、訂正データ４５ｃは、２０１１年９月１９日２１時２６分に号機番号１番の計数機が発行連番００１０として計数した１０００玉を基本貸出レート「１玉４円」から指定貸出レート「１玉１円」に訂正したこと、また貸出レートの訂正を行った店員の店員識別番号が０１であることを示している。この訂正データ４５ｃの内容を反映することで、集計データ４５ｂを訂正することができる。なお、訂正データ４５ｃは、その内容を集計データ４５ｂに反映した後も残しておくことで、貸出レートの訂正履歴として利用可能である。
【００６４】
図７（ｃ）は、訂正を行った集計データ４５ｂであり、図７（ａ）と比較すると２０１１年９月１９日２１時２６分に号機番号１番の計数機が発行連番００１０として計数した１０００玉の貸出レートが１玉４円から１玉１円に訂正されている。
【００６５】
制御部４３は、ホールコンピュータ４０を全体制御する制御部であり、計数結果管理部４３ａ及び集計データ訂正部４３ｂを有する。計数結果管理部４３ａは、計数結果である玉数と貸出レートとを集計データ４５ｂを用いて管理する。集計データ訂正部４３ｂは、訂正データ４５ｃを用いて集計データ４５ｂを訂正する。
【００６６】
次に、図４に示したレシート・会員カード端末機９０ａの処理動作について説明する。なお、レシート・会員カード端末機９０ｂの処理動作についてはレシート・会員カード端末機９０ａと同様であるので説明を省略する。図８は、レシート・会員カード端末機９０ａの表示操作部９１に表示される画面を説明するための説明図である。
【００６７】
レシート・会員カード端末機９０ａは、初期状態において図８に示した待機状態画面Ｄ１を表示操作部９１に表示している。待機状態画面Ｄ１には、例えば「玉を流してください」等のメッセージを表示する。店員又は遊技客が４円用計数機８０ａのホッパユニット８１に玉を投入すると、４円用計数機８０ａは玉の計数を開始してレシート・会員カード端末機９０ａは計数開始を通知する。
【００６８】
レシート・会員カード端末機９０ａは、４円用計数機８０ａから計数開始の通知を受けると表示操作部９１に計数中画面Ｄ２を表示する。計数中画面Ｄ２には、例えば「計数中」等のメッセージを表示する。４円用計数機８０ａは玉の計数が終了するとレシート・会員カード端末機９０ａに通知する。レシート・会員カード端末機９０ａは、計数終了の通知を受けると、表示操作部９１に計数終了画面Ｄ３を表示する。計数終了画面Ｄ３には、例えば「ボタンを押してください」等のメッセージとともに「全部発行」タブ及び「端数返却」タブを表示する。「全部発行」タブは、計数した玉を全て発行処理する操作を受け付けるタブである。また、「端数返却」タブは、特殊景品に交換できる玉数分を計数レシートとして発行し、残りの端数分を玉返却部８３から玉として返却する操作を受け付けるタブである。
【００６９】
店員が計数終了画面Ｄ３の「全部発行」タブ又は「端数返却」タブを押下操作すると、レシート・会員カード端末機９０ａは発行処理する玉数を確定し、レシート情報を作成する。レシート情報は、計数レシートに印刷する内容を定める情報であり、玉数、貸出レート、計数機の号機番号、レシート番号、計数に立ち会った店員の識別番号及び計数日時等を含む。なお、計数に立ち会った店員の店員識別番号は、計数開始時（連続的に処理する場合は、最初の計数処理時）に店員カードを読み取らせることで取得される。
【００７０】
なお、貯玉する場合には、レシート・会員カード端末機９０ａは、会員カード又は一般カードのカードＩＤ、貸出レート及び玉数を管理装置５０に送信し、管理装置５０が記憶するカードデータにおいて該カードＩＤ及び貸出レートに関連付けられた貯玉数を加算処理させることでカードデータを更新する。この更新を行っている間、レシート・会員カード端末機９０ａは表示操作部９１に更新中画面Ｄ４を表示する。更新が終了した場合には、貯玉を行ったのであれば貯玉結果画面Ｄ６を表示する。貯玉結果画面Ｄ６は、各貸出レートの貯玉の状態を表示する。図８では、一例として貯玉１に５５００個、貯玉２に７０００個が表示されている。また、計数レシートの発行を行うのであれば、レシート発行部９３が計数レシートを発行処理している間、レシート発行画面Ｄ５を表示する。レシート発行画面Ｄ５は「レシート発行中」のメッセージと玉数とを表示する。図８では、一例として１０００玉の計数レシートを発行処理する場合を示している。
【００７１】
レシート発行画面Ｄ５又は貯玉結果画面Ｄ６の表示後、レシート・会員カード端末機９０ａは「ありがとうございました」等のメッセージを表示する終了画面Ｄ７を表示操作部９１に表示する。そして、終了画面Ｄ７への表示開始から所定時間経過後、レシート・会員カード端末機９０ａは表示操作部９１に待機状態画面Ｄ１を表示する。
【００７２】
ここで、計数中画面Ｄ２又は計数終了画面Ｄ３の表示中に、店員が特殊操作ボタン９２を押下操作すると、レシート・会員カード端末機９０ａは表示操作部９１に店員用操作画面Ｄ８を表示する。店員用操作画面Ｄ８は、「レート変更」タブ及び「集計」タブ等を含む店員用の操作メニュー画面である。なお、店員操作画面Ｄ８には、「終了」タブも設けられており、「終了」タブを押下操作することで、計数中画面Ｄ２又は計数終了画面Ｄ３に戻ることができる。また、特殊操作ボタン９２を操作する際に、店員識別番号を入力させることにより、貸出レートの訂正を行なった店員の店員識別番号を取得することができる。
【００７３】
店員が店員用操作画面Ｄ８の「レート変更」タブを押下操作すると、レシート・会員カード端末機９０ａは表示操作部９１にレート選択画面Ｄ９を表示する。レート選択画面Ｄ９は、現在の貸出レートとして基本貸出レート９８ａの値「４円」を表示するとともに、選択可能な指定貸出レートとして「１円」「２円」「０．５円」を表示する。ここで表示される指定貸出レートは、店内の他のコーナーで運用されるレートが、予め設定記憶されている。また、レート選択画面Ｄ９には、「取消」タブも設けられており、「取消」タブを押下操作することで、店員用操作画面Ｄ８に戻ることができる。
【００７４】
レート選択画面Ｄ９において店員がいずれかの貸出レートを選択すると、レシート・会員カード端末機９０ａは選択された貸出レートを指定貸出レートとする。その後、レシート・会員カード端末機９０ａは、４円用計数機８０ａの計数が継続中であれば表示操作部９１に計数中画面Ｄ２’を表示し、４円用計数機８０ａの計数が終了していれば表示操作部９１に計数終了画面Ｄ３’を表示する。
【００７５】
計数中画面Ｄ２’は、計数中画面Ｄ２に指定貸出レートを追加表示した画面である。図８では、「１円」を選択した場合の計数中画面Ｄ２’を示しており、「１円選択中」を表示している。また、計数終了画面Ｄ３’は、計数終了画面Ｄ３に指定貸出レートを追加表示した画面であり、計数終了画面Ｄ３と同様に「全部発行」タブ及び「端数返却」タブを有する。
【００７６】
店員が計数終了画面Ｄ３’の「全部発行」タブ又は「端数返却」タブを押下操作すると、レシート・会員カード端末機９０ａは発行処理する玉数を確定し、レシート情報を作成する。
【００７７】
貯玉する場合には、レシート・会員カード端末機９０ａは、会員カード又は一般カードのカードＩＤ、貸出レート及び玉数を管理装置５０に送信し、管理装置５０が記憶するカードデータにおいて該カードＩＤ及び貸出レートに関連付けられた貯玉数を加算処理させることでカードデータを更新する。この更新を行っている間、レシート・会員カード端末機９０ａは表示操作部９１に更新中画面Ｄ４’を表示する。更新が終了した場合には、貯玉を行ったのであれば貯玉結果画面Ｄ６’を表示する。また、計数レシートの発行を行うのであれば、レシート発行部９３が計数レシートを発行処理している間、レシート発行画面Ｄ５を表示する。更新中画面Ｄ４’、レシート発行画面Ｄ５’及び貯玉結果画面Ｄ６’においても、図８に示したように指定貸出レートを追加表示する。
【００７８】
レシート発行画面Ｄ５’又は貯玉結果画面Ｄ６’の表示後、レシート・会員カード端末機９０ａは「ありがとうございました」等のメッセージを表示する終了画面Ｄ７を表示操作部９１に表示する。そして、終了画面Ｄ７への表示開始から所定時間経過後、レシート・会員カード端末機９０ａは表示操作部９１に待機状態画面Ｄ１を表示する。
【００７９】
図９は、レシート・会員カード端末機９０ａの処理手順を示すフローチャートである。図９に示すように、レシート・会員カード端末機９０ａは、４円用計数機８０ａから計数情報を取得する（ステップＳ１０１）。この計数情報の取得の間に、図８を用いて説明したように、表示操作部９１には待機状態画面Ｄ１、計数中画面Ｄ２及び計数終了画面Ｄ３が表示される。
【００８０】
指定貸出レート受付部９７ｂは、指定貸出レートを受け付けたか否かを判定する（ステップＳ１０２）。具体的には、図８で説明したように、店員又は遊技客が計数終了画面Ｄ３で全部発行ボタン若しくは端数返却ボタンを押下操作するまでに、指定貸出レートの選択が行われたか否かを判定する。
【００８１】
指定貸出レートを受け付けていなければ（ステップＳ１０２；Ｎｏ）、発行制御部９７ａは、基本貸出レート９８ａを貸出レートとしてレシート情報を作成する（ステップＳ１０７）。基本貸出レートは、レシート・会員カード端末機９０ａの場合は１玉４円である。ステップＳ１０７の後、発行制御部９７ａは、基本貸出レートで計数レシートを発行制御して（ステップＳ１０８）、処理を終了する。具体的には、レシートの発行制御は、ステップＳ１０７で作成したレシート情報をバーコード印刷するとともに店員及び遊技客に視認可能に印字して発行するようレシート発行部９３に指示する制御である。
【００８２】
一方、指定貸出レートを受け付けていれば（ステップＳ１０２；Ｙｅｓ）、発行制御部９７ａは指定貸出レートを貸出レートとしてレシート情報を作成する（ステップＳ１０３）。上述したように、レシート情報は、玉数、貸出レート、計数機の号機番号、レシート番号、計数に立ち会った店員の識別番号及び計数日時等を含むが、貸出レートについては指定貸出レートを受け付けていなければ基本貸出レートとなり、指定貸出レートを受け付けていれば基本貸出レートとなるのである。
【００８３】
ステップＳ１０３の後、通知部９７ｃは、訂正データ４５ｃをホールコンピュータ４０に送信する（ステップＳ１０４）。訂正データ４５ｃは、計数日時、玉数、号機番号、発行連番、基本貸出レート、指定貸出レート及び店員識別番号（貸出レートの訂正を行った店員の識別情報）を含む。訂正データ４５ｃに指定貸出レートが含まれていれば、基本貸出レートがなくとも集計データ４５ｂの訂正は可能であるが、基本貸出レートを訂正データ４５ｃに含めることで、訂正前の貸出レートが基本貸出レートと一致するかを確認し、訂正の正当性を確認できる。訂正データ４５ｃは、ホールコンピュータ４０に送信された後も、レシート・会員カード端末機９０ａに記憶される。
【００８４】
ステップＳ１０４の後、発行制御部９７ａは、指定貸出レートで計数レシートを発行制御して（ステップＳ１０５）、貸出レートをリセットし（ステップＳ１０６）、処理を終了する。具体的には、レシートの発行制御は、ステップＳ１０４で作成したレシート情報をバーコード印刷するとともに店員及び遊技客に視認可能に印字して発行するようレシート発行部９３に指示する制御である。また、貸出レートのリセットは、指定貸出レートを基本貸出レートに戻す処理である。
【００８５】
図１０は、レシート・会員カード端末機９０ａが発行した計数レシートの具体例の説明図である。図１０に示した計数レシートＲ１は、レシート情報をバーコード印刷及び印字したものであり、バーコードＲ１ａが印刷されるとともに、計数日時Ｒ１ｂ、レシート番号Ｒ１ｃ、店員識別番号Ｒ１ｄ、店員氏名Ｒ１ｅ、玉数Ｒ１ｆ、貸出レートＲ１ｇ及びレート訂正表示Ｒ１ｈが印字されている。
【００８６】
バーコードＲ１ａは、玉数、貸出レート、計数機の号機番号、レシート番号、店員識別番号及び計数日時をバーコード印刷したものである。図１０の例では、計数日時Ｒ１ｂは、計数レシートＲ１が２０１１年０９月１９日２１時２６分に計数した玉の計数レシートであることを示している。レシート番号Ｒ１ｃは、計数機の号機番号と該計数機の計数結果の発行連番であり、計数レシートを一意に識別する識別情報である。図１０に示した例では、レシート番号Ｒ１ｃは「００１０−００１」であり、号機番号が００１番の計数機が１０枚目に発行した計数レシートであることを示している。また、店員識別番号Ｒ１ｄは、図１０では店員識別番号００１の店員が計数に立ち会ったことを示し、店員氏名Ｒ１ｅは、該店員の氏名が「ＡＡ  ＢＢ」であることを示している。なお、貸出レートの訂正を行った場合には、店員識別番号Ｒ１ｄ及び店員氏名Ｒ１ｅは、貸出レートの訂正を行った店員の店員識別番号及び氏名となる。玉数Ｒ１ｆは、図１０では、玉の計数結果が１０００個であったことを示している。
【００８７】
貸出レートＲ１ｇは指定貸出レートを受け付けていなければ基本貸出レート、指定貸出レートを受け付けたならば該指定貸出レートとなる。また、指定貸出レートを受け付けたならば、レート訂正表示Ｒ１ｈを印字する。指定貸出レートを受け付けていない場合には、レート訂正表示Ｒ１ｈは印字しない。図１０では、貸出レートは指定貸出レートの「１（＝１円）」であり、レート訂正表示Ｒ１ｈを印字している。
【００８８】
次に、図６に示したホールコンピュータ４０の処理手順を説明する。図１１は、ホールコンピュータ４０の処理手順を示すフローチャートである。図１１に示すように、ホールコンピュータ４０は、計数機８０からパルスを受信すると（ステップＳ３０１；Ｙｅｓ）、集計データ４５ｂを更新する（ステップＳ２０２）。
【００８９】
ステップＳ２０１で集計データ４５ｂの更新をした後又は計数機８０からパルスを受信していない場合には（ステップＳ２０１；Ｎｏ）、ホールコンピュータ４０は、レシート・会員カード端末機９０から訂正データ４５ｃを受信したか否かを判定する（ステップＳ２０３）。
【００９０】
訂正データ４５ｃを受信した場合には（ステップＳ２０３；Ｙｅｓ）、集計データ訂正部４３ｂが訂正データ４５ｃを記憶部４５に書き込むとともに、訂正データ４５ｃを用いて集計データ４５ｂを訂正する（ステップＳ２０４）。
【００９１】
ステップＳ２０４で集計データ４５ｂを訂正した後又は訂正データ４５ｃを受信していない場合には（ステップＳ２０３；Ｎｏ）、ホールコンピュータ４０は処理を終了する。処理終了後には、ホールコンピュータ４０はステップＳ２０１からの処理を繰り返す。
【００９２】
上述してきたように、本実施例１では、計数機で計数された遊技媒体数を記録媒体に関連付けて排出する記録媒体処理装置であるレシート・会員カード端末機９０ａは、遊技媒体の基本貸出レート９８ａを記憶部９８に記憶し、指定貸出レート受付部９７ｂにより指定貸出レートを受け付けない場合には、遊技媒体数及び基本貸出レートを関連付けた記録媒体を発行制御し、指定貸出レート受付部９７ｂにより指定貸出レートを受け付けた場合には、遊技媒体数及び指定貸出レートを関連付けた記録媒体を発行制御するよう構成したので、貸出レートの異なる計数機に対して遊技媒体を誤投入した場合の人的労力を効率良く軽減するとともに、効率的な訂正処理を実施することができる。
【００９３】
また、指定貸出レートを受け付けた場合には、レシート・会員カード端末機９０ａは、遊技媒体数及び指定貸出レートを管理装置であるホールコンピュータ４０に通知するので、ホールコンピュータ４０の集計データ４５ｂについても効率的に訂正を行うことができる。
【００９４】
また、レシート・会員カード端末機９０ａは、貸出レートの訂正後も訂正データ４５ｃを保存するので、貸出レートの訂正履歴が確認可能である。加えて、訂正データ４５ｃが貸出レート訂正を行った店員の識別情報を含むことで、貸出レート訂正を行った店員を確認可能となる。
【００９５】
なお、本実施例では、１円コーナーで獲得したパチンコ玉を４円用計数機８０ａに投入した場合を例に説明を行ったが、本発明は、４円コーナーで獲得したパチンコ玉を１円用計数機８０ｂで計数する場合など、異なる貸出レート間であれば任意の貸出レート間で適用可能である。また、パチンコ玉に限らず、メダル等任意の遊技媒体について適用可能である。さらに、本実施例では、レシート・会員カード端末機９０を計数機８０に付設した場合について説明したが、レシート・会員カード端末機９０を計数機８０に内在させてもよいことはいうまでもない。
【００９６】
図１２は、レシート・会員カード端末機の機能を内在する一体型の計数機１００の外観構成を示す図である。同図に示すように、一体型の計数機１００は、ホッパユニット８１、玉返却部８３、レシート発行部９３、カードリーダライタ９４、携帯端末リーダライタ９５及び表示操作部１０１を有する。
【００９７】
ホッパユニット８１及び玉返却部８３の構成及び動作は、図４（ａ）に示した４円用計数機８０ａのホッパユニット８１及び玉返却部８３と同様であるので説明を省略する。また、レシート発行部９３、カードリーダライタ９４及び携帯端末リーダライタ９５の構成及び動作は、図３（ｂ）に示したレシート・会員カード端末機９０ａのレシート発行部９３、カードリーダライタ９４及び携帯端末リーダライタ９５と同様であるので説明を省略する。表示操作部１０１は、タッチパネル式のカラー液晶ディスプレイ等からなり、店員は、この表示操作部１０１を用いて指定貸出レートの指定を行う。
【００９８】
次に、図１２に示した一体型の計数機１００の内部構成について説明する。図１３は、図１２に示した一体型の計数機１００の内部構成を示す図である。同図に示すように、計数機１００は、すでに説明した表示操作部１０１、ホッパユニット８１、玉返却部８３、レシート発行部９３、カードリーダライタ９４及び携帯端末リーダライタ９５に加えて、通信部９６、記憶部９８、計数部１０２、パルス出力部１０３及び制御部１０４を有する。ここで、通信部９６及び記憶部９８の構成及び動作は、図４に示したレシート・会員カード端末機９０ａの通信部９６及び記憶部９８と同様であるので説明を省略する。
【００９９】
計数部１０２は、ホッパユニット８１の受け皿に投入されたパチンコ玉が搬送される搬送通路の近傍に設けられ、搬送経路に赤外線等の発光及びその反射光の受光を行うことでパチンコ玉の通過を検知して制御部１０４に通知する。パルス出力部１０３は、計数部１０２で所定の玉数（例えば、１０玉）が計数される度に、パルス信号をホールコンピュータ４０に送信する。
【０１００】
制御部１０４は、計数機１００を全体制御する制御部であり、レシート・会員カード端末機９０ａと同様の発行制御部９７ａ、指定貸出レート受付部９７ｂ及び通知部９７ｃに加えて計数制御部１０４ａを有する。計数制御部１０４ａは、遊技客によって獲得されたパチンコ玉の計数制御を行う処理部である。具体的には、ホッパユニット８１にパチンコ玉が投入されると、計数部１０２から獲得玉の通過を通知する信号が出力されるので、一定時間（例えば、３秒）についてかかる信号が検出されなくなるまでカウントアップを継続することでパチンコ玉の計数を行う。また、計数制御部１０４ａは、所定の玉数（例えば、１０玉）を計数する度に、パルス出力部１０３にパルス信号の生成及び送信を要求する。計数部１０２から信号が検出されなくなってから一定時間が経過したならば、計数制御部１０４ａは、計数結果の出力をレシートの発行によって行う場合には、発行制御部９７ａにレシートを発行させる。
【０１０１】
本実施例における貸出レートの訂正について、店員の識別情報に対して権限を設定し、店員のうち権限を有する者のみが貸出レートの訂正を行えるようにしてもよい。さらに、貸出レート訂正の権限にレベルを設定し、例えば１玉４円から１玉１円のように貸出レートを下げることのできる権限レベルと、１玉１円から１玉４円のように貸出レートを上げることのできる権限レベルとを異ならせてもよい。
【０１０２】
なお、本実施例では、計数レシートを発行する場合における貸出レート訂正について具体的に説明したが、会員カードや一般カードに獲得玉数を関連付ける場合にも適用可能である。図１４は、会員カードや一般カードに獲得玉数を関連付ける場合のレート変更を説明するための説明図である。同図では、遊技客が１円コーナーに配設された遊技機２０ｂを用いて獲得したパチンコ玉Ｂ１を４円コーナーに配設された４円用計数機８０ａに誤投入して、獲得玉数を会員カードや一般カードに関連付けた場合を示している。
【０１０３】
４円用計数機８０ａは、パチンコ玉Ｂ１を計数したならば、レシート・会員カード端末機９０ａに対して計数結果を通知するとともに、所定のパチンコ玉数（例えば、１０玉）を計数する度にホールコンピュータ４０にパルス信号を送信する。４円用計数機８０ａからパルス信号を受信する度に、内部メモリに１パルス分の玉数（１０玉）を加算し、連続するパルス信号の受信を終えたならば、内部メモリに記憶した玉数と基本貸出レート（１玉４円）により集計データ４５ｂを更新する。
【０１０４】
レシート・会員カード端末機９０ａは、会員カードや一般カードからカードＩＤを読み出し、管理装置５０と通信してカードデータ５０ａを更新処理する。カードデータ５０ａは会員カードや一般カードのカードＩＤと貯玉数を対応させたデータである。貯玉数は、貸出レート毎に記憶しておく。
【０１０５】
レシート・会員カード端末機９０ａは、基本貸出レートとして１玉４円を記憶しており、発行制御部９７ａは、原則としてカードデータ５０ａにおいて会員カードや一般カードから読み出したカードＩＤ及び基本貸出レートに関連付けられた貯玉数を加算処理させる。ただし、指定貸出レート受付部９７ｂが基本貸出レートと異なる指定貸出レート（例えば、１玉１円）を受け付けた場合には、会員カードや一般カードから読み出したカードＩＤ及び指定貸出レートに関連付けられた貯玉数を加算処理させる。また、通知部９７ｃは、指定貸出レート受付部９７ｂが基本貸出レートと異なる指定貸出レートを受け付けた場合には、玉数、指定貸出レート及び４円用計数機８０ａの号機番号を訂正データ５０ｂとして管理装置５０に通知する。管理装置５０は、訂正データ５０ｂをホールコンピュータ４０に訂正データ４５ｃとして送信する。ホールコンピュータ４０は、かかる訂正データ４５ｃを受信したならば、この訂正データ４５ｃを用いて集計データ４５ｂを訂正処理する。
【０１０６】
このようにレシート・会員カード端末機９０ａが指定貸出レートの貯玉数に加算することにより、景品管理装置６０は、会員カードや一般カードのカードＩＤをリーダライタ７０で読み取ってカードデータ５０ａを参照することで、指定貸出レートに対応する交換レートを算定して、該交換レートで玉数を景品交換処理することができる。
【０１０７】
また、ホールコンピュータ４０は、管理装置５０から受信した訂正データ４５ｃを用いて集計データ４５ｂを修正することができる。なお、図１４ではレシート・会員カード端末機９０ａが管理装置５０を経由して訂正データ４５ｃをホールコンピュータ４０に送信するように構成したが、レシート・会員カード端末機９０ａからホールコンピュータ４０に直接訂正データ４５ｃを送信してもよい。また、管理装置５０からホールコンピュータ４０に訂正データ４５ｃを送信するとともに、レシート・会員カード端末機９０ａからホールコンピュータ４０にエラーパルスを送信し、貸出レートの訂正を行ったことを通知してもよい。
【０１０８】
また、レート変更指示に進む特殊操作についても、本実施例に限定されるものではなく、適宜変更可能である。例えば、店員カードをレシート・会員カード端末機９０に読み取らせることで、図８に示した店員用操作画面Ｄ８を表示し、店員が店員用操作画面Ｄ８のレート変更タブが押下操作したレート変更を行うように構成してもよい。
【０１０９】
また、本実施例では、指定貸出レートを選択した後、自動的に基本貸出レートに戻る構成を例示して説明を行ったが、店員が指定貸出レートの解除操作を行うまで指定貸出レートによる処理を継続するように構成してもよい。解除操作としては、例えば指定貸出レートを解除するか否かを問い合わせる画面を表示し、店員による選択を受け付ける。
【実施例２】
【０１１０】
ところで、上記実施例１では、計数処理時にレシート・会員カード端末機９０ａが貸出レートを訂正処理する場合を示したが、景品交換処理時に景品管理装置が貸出レートの訂正処理を行うこともできる。そこで、本実施例２では、景品管理装置が貸出レートを訂正処理する場合を説明する。なお、本実施例２に係るシステム構成等については、実施例１のものと同様であるので、ここでは説明を省略する。
【０１１１】
図１５は、実施例２に係る貸出レート訂正の概要を説明するための説明図である。同図では、遊技客が１円コーナーに配設された遊技機２０ｂを用いて獲得したパチンコ玉Ｂ１を４円コーナーに配設された４円用計数機８０ａに誤投入した場合を示している。
【０１１２】
４円用計数機８０ａは、パチンコ玉Ｂ１を計数したならば、レシート・会員カード端末機９０ａに対して計数結果を通知するとともに、所定のパチンコ玉数（例えば、１０玉）を計数する度にホールコンピュータ４０にパルス信号を送信する。ホールコンピュータ４０は、４円用計数機８０ａからパルス信号を受信する度に、内部メモリに１パルス分の玉数（１０玉）を加算し、連続するパルス信号の受信を終えたならば、内部メモリに記憶した玉数と基本貸出レート（１玉４円）により集計データ４５ｂを更新する。ここでは、パチンコ玉数１０００玉分に相当する１００パルスがホールコンピュータ４０に送信された状況を示しているため、ホールコンピュータ４０の集計データ４５ｂには、最初のパルス信号を受信した日時（計数日時）、玉数１０００玉、４円用計数機８０ａの号機番号及び該４円用計数機８０ａの基本貸出レートである「１玉４円」が集計データ４５ｂに追加登録されることになる。
【０１１３】
レシート・会員カード端末機９０ａ１は、玉数及び貸出レートをバーコード印刷した計数レシートＲ２を発行する。景品管理装置６０ａは、バーコードリーダ６７で計数レシートＲ２から玉数及び貸出レートを読み取り、原則として読み取った貸出レート（第１の貸出レート）に対応する交換レートを算定して、該交換レートで玉数を景品交換処理する。ただし、指定貸出レート受付部６６ｄが第１の貸出レートと異なる指定貸出レート（第２の貸出レート）を受け付けた場合には、指定貸出レートに対応する交換レートを算定して、該交換レートで玉数を景品交換処理する。また、通知部６６ｅは、指定貸出レートを受け付けた場合には、玉数、指定貸出レート及び計数日時等を含む訂正データ４５ｃをホールコンピュータ４０に送信する。ホールコンピュータ４０は、かかる訂正データ４５ｃを受信したならば、この訂正データを用いて集計データ４５ｂを訂正処理する。なお、訂正データ４５ｃは、景品管理装置６０ａ及びホールコンピュータ４０に記憶され、後から訂正内容を確認できる。
【０１１４】
このように、景品管理装置６０ａは、指定貸出レートを受け付けた場合には、指定貸出レートに対応する交換レートを算定して、該交換レートで玉数を景品交換処理することができる。また、ホールコンピュータ４０は、景品管理装置６０ａから受信した訂正データ４５ｃを用いて集計データ４５ｂを修正することができる。
【０１１５】
次に、景品管理装置６０ａの内部構成を説明する。なお、景品管理装置６０ａの外観構成は、実施例１の景品管理装置６０と同様であるので説明を省略する。図１６は、実施例２に係る景品管理装置６０ａの構成図である。同図に示すように、この景品管理装置６０ａは、リーダライタ７０及び特殊景品払出装置７５に接続されている。
【０１１６】
景品管理装置６０は、実施例１で説明した店側表示部６１、操作部６２、レシート発行部６３に加えて、客側表示部６４、記憶部６５及び制御部６６を有する。客側表示部６４は、景品管理装置６０ａの背面（遊技客側）に設けられた遊技客用の表示デバイスであり、例えば蛍光表示管やタッチパネルカラー液晶ディスプレイである。遊技客は、この客側表示部６４の表示内容を確認することにより、計数レシートやカードに対応付けられる現在玉数や端数玉数を確認することができる。
【０１１７】
記憶部６５は、フラッシュメモリ又はハードディスク装置等からなる記憶デバイスであり、景品マスタデータ６５ａ及び景品管理データ６５ｂを記憶する。景品マスタデータ６５ａは、特殊景品及び一般景品の景品コードごとに景品交換に要する交換玉数を対応づけたテーブルである。景品交換に要する交換玉数は、複数の貸出レートにそれぞれ対応する交換レートごとに設定する。また、景品管理データ６５ｂは、各景品の在庫数や出庫履歴を示すデータである。
【０１１８】
制御部６６は、景品管理装置６０を全体制御する制御部であり、景品管理部６６ａ、特殊景品交換処理部６６ｂ、一般景品交換処理部６６ｃ、指定貸出レート受付部６６ｄ及び通知部６６ｅを有する。この制御部６６は、店側表示部６１及び客側表示部６４の表示制御及び操作入力制御を実施する。
【０１１９】
景品管理部６６ａは、記憶部６５に記憶した景品管理データ６５ｂを用いて景品管理装置６０の取扱対象となる特殊景品、一般景品並びにその在庫状況等を管理する管理部である。指定貸出レート受付部６６ｄは、操作部６２により操作入力された指定貸出レートを受け付ける処理部である。計数レシートを景品交換カウンタに持ち込んだ遊技客若しくは同行した店員が、計数時に誤投入してしまった旨を申告し、そのことが承認された場合に、景品交換カウンタの店員が所定の操作を行うことにより、指定貸出レートを入力する。
【０１２０】
特殊景品交換処理部６６ｂは、指定貸出レート受付部６６ｄにより指定貸出レートを受け付けない場合には、バーコードから読み取った第１の貸出レートに対応する交換レートを算定して、該交換レート及び獲得玉数により景品交換可能な特殊景品を景品マスタデータ６５ａに基づいて特定し、特定した特殊景品の種別とその個数を特殊景品払出装置７５に通知する処理部である。また、特殊景品交換処理部６６ｂは、指定貸出レート受付部６６ｄにより指定貸出レートを受け付けた場合には、指定貸出レートに対応する交換レートを算定して、該交換レート及び獲得玉数により景品交換可能な特殊景品を景品マスタデータ６５ａに基づいて特定し、特定した特殊景品の種別とその個数を特殊景品払出装置７５に通知する。
【０１２１】
一般景品交換処理部６６ｃは、指定貸出レート受付部６６ｄにより指定貸出レートを受け付けない場合には、バーコードから読み取った第１の貸出レートに対応する交換レートを算定して、該交換レート及び獲得玉数の範囲内で景品マスタデータ６５ａに基づいて一般景品の景品交換処理を行う処理部である。また、一般景品交換処理部６６ｃは、指定貸出レート受付部６６ｄにより指定貸出レートを受け付けた場合には、指定貸出レートに対応する交換レートを算定して、該交換レート及び獲得玉数の範囲内で景品マスタデータ６５ａに基づいて一般景品の景品交換処理を行う。
【０１２２】
通知部６６ｅは、指定貸出レート受付部６６ｄが指定貸出レートを受け付けた場合に、玉数、指定貸出レート及び計数日時等を含む訂正データ４５ｃをホールコンピュータ４０に通知する。
【０１２３】
次に、図１６に示した景品管理装置６０ａの処理手順を説明する。図１７は、景品管理装置６０ａの処理手順を示すフローチャートである。同図に示すように、景品管理装置６０ａは、バーコードリーダ６７を用いて計数レシートＲ２に印刷されたバーコードから玉数、貸出レート等を読み取る（ステップＳ３０１）。
【０１２４】
バーコードから玉数及び貸出レート等を読み取った後、景品が選択入力されるまでに指定貸出レート受付部６６ｄが指定貸出レートを受け付けなければ（ステップＳ３０２；Ｎｏ）、特殊景品交換処理部６６ｂ及び一般景品交換処理部６６ｃは、バーコードから読み取った玉数及び貸出レートを用いて景品交換処理を行う（ステップＳ３０３）。
【０１２５】
一方、景品が選択入力されるまでに指定貸出レート受付部６６ｄが指定貸出レートを受け付けたならば（ステップＳ３０２；Ｙｅｓ）、特殊景品交換処理部６６ｂ及び一般景品交換処理部６６ｃは、バーコードから読み取った玉数と指定貸出レートとを用いて景品交換処理を行う（ステップＳ３０４）。
【０１２６】
ステップＳ３０４の後、通知部６６ｅは、玉数、指定貸出レート及び計数日時等を含む訂正データ４５ｃをホールコンピュータ４０に通知する（ステップＳ３０５）。また、訂正データ４５ｃは、第１の貸出レート（訂正前の貸出レート）、計数を行った計数機の号機番号及び貸出レート訂正操作を行った店員の識別情報を含んでもよい。
【０１２７】
ステップＳ３０４又はステップＳ３０５で景品交換を行った後、景品管理装置６０ａは、各景品の在庫数や出庫履歴を示す景品管理データ６５ｂを更新して（ステップＳ３０６）、処理を終了する。
【０１２８】
上述してきたように、本実施例２では、遊技媒体と景品との交換を管理する景品管理装置６０ａは、遊技媒体の計数結果と遊技媒体の貸出レートとを示すデータを読み取って景品との交換処理を行う際に、指定貸出レートを受け付けたならば、指定貸出レートを用いて景品交換処理を行うよう構成したので、貸出レートの異なる計数機に対して遊技媒体を誤投入した場合の人的労力を効率良く軽減するとともに、効率的な訂正処理を実施することができる。
【０１２９】
また、景品管理装置６０ａは、指定貸出レートを受け付けた場合には管理装置であるホールコンピュータ４０に遊技媒体数及び指定貸出レートを通知するので、ホールコンピュータ４０の集計データ４５ｂについても効率的に訂正を行うことができる。
【０１３０】
また、遊技媒体数及び指定貸出レートが貸出レートの訂正後も訂正データ４５ｃを残すことで、貸出レートの訂正履歴を確認可能となる。加えて、訂正データ４５ｃが貸出レート訂正を行った店員の識別情報を含むことで、貸出レート訂正を行った店員を確認可能となる。
【０１３１】
なお、本実施例では、１円コーナーで獲得したパチンコ玉を４円用計数機８０ａに投入した場合を例に説明を行ったが、本発明は、４円コーナーで獲得したパチンコ玉を１円用計数機８０ｂで計数する場合など、異なる貸出レート間であれば任意の貸出レート間で適用可能である。また、パチンコ玉に限らず、メダル等任意の遊技媒体について適用可能である。
【０１３２】
また、店員の識別情報に対して貸出レート訂正の権限を設定し、店員のうち権限を有する者のみが貸出レート訂正を行えるようにしてもよい。さらに、貸出レート訂正の権限にレベルを設定し、例えば１玉４円から１玉１円のように貸出レートを下げることのできる権限レベルと、１玉１円から１玉４円のように貸出レートを上げることのできる権限レベルとを異ならせてもよい。
【産業上の利用可能性】
【０１３３】
以上のように、本発明に係る遊技媒体計数システム及び景品管理装置は、貸出レートの異なる計数機に対して遊技媒体を誤投入した場合の人的労力軽減と、効率的な訂正処理に適している。
【符号の説明】
【０１３４】
１０ａ，１０ｂ    台間カード処理機
２０ａ，２０ｂ    遊技機
３０ａ，３０ｂ    島コントローラ
４０    ホールコンピュータ
４１，８２    表示部
４２，６２    操作部
４３，６６，９７，１０４    制御部
４３ｂ  集計データ訂正部
４４，６８，９６    通信部
４５，６５，９８    記憶部
４５ａ  レート設定データ
４５ｂ  集計データ
４５ｃ，５０ｂ  訂正データ
５０    管理装置
５０ａ  カードデータ
６０，６０ａ    景品管理装置
６１    店側表示部
６３，９３    レシート発行部
６４    客側表示部
６５ａ  景品マスタデータ
６５ｂ  景品管理データ
６６ａ  景品管理部
６６ｂ  特殊景品交換処理部
６６ｃ  一般景品交換処理部
６６ｄ，９７ｂ  指定貸出レート受付部
６６ｅ，９７ｃ  通知部
６７    バーコードリーダ
７０    リーダライタ
７１，９１，１０１    表示操作部
７２    かざし部
７３    カード挿入口
７４    扉カギ
７５    特殊景品払出装置
８０ａ  ４円用計数機
８０ｂ  １円用計数機
８１    ホッパユニット
８３    玉返却部
９０ａ，９０ｂ，９０ａ１    レシート・会員カード端末機
９２    特殊操作ボタン
９４    カードリーダライタ
９５    携帯端末リーダライタ
９７ａ  発行制御部
９８ａ  基本貸出レート
１００    計数機
１０２    計数部
１０３    パルス出力部
１０４ａ  計数処理部
【図１】
2012249652.tif 000003
【図２】
2012249652.tif 000004
【図３】
2012249652.tif 000005
【図４】
2012249652.tif 000006
【図５】
2012249652.tif 000007
【図６】
2012249652.tif 000008
【図７】
2012249652.tif 000009
【図８】
2012249652.tif 000010
【図９】
2012249652.tif 000011
【図１０】
2012249652.tif 000012
【図１１】
2012249652.tif 000013
【図１２】
2012249652.tif 000014
【図１３】
2012249652.tif 000015
【図１４】
2012249652.tif 000016
【図１５】
2012249652.tif 000017
【図１６】
2012249652.tif 000018
【図１７】
2012249652.tif 000019